(57)【要約】【課題】本発明は、著作権の保護に容易に対応することができ、且つスタジオ・マスター音源と同等のクオリティ音質で記録した音楽コンテンツ等を再生することができ、また、再利用が可能で、従来のＣＤ等の良い点を確保することのできる音楽コンテンツ等の音楽パッケージ体及び該音楽コンテンツ等の音楽パッケージ体の販売システムを提供することを課題とする。【解決手段】音楽コンテンツを表記した表記シートと、音楽コンテンツとしての音楽データを記録した記録体とから作成された音楽パッケージ体において、表記シートは、音楽コンテンツ及び音楽コンテンツ等に関連する付加データを画像や文字等で表記してブック状に形成し、記録体は、音楽コンテンツ及び音楽コンテンツに関連する付加情報をスタジオ又はライブの音質として直接的に記録した音楽データを格納したメモリーカードで構成し、且つ、表記シートにメモリーカードを一体的に設けることでブック状の音楽パッケージ体として作製することである。【選択図】図１
2010061631.tif 000002
【特許請求の範囲】
【請求項１】
音楽コンテンツを表記した表記シートと、音楽コンテンツとしての音楽データを記録した記録体とから作成された音楽パッケージ体において、表記シートは、音楽コンテンツ及び音楽コンテンツ等に関連する付加データを画像や文字等で表記してブック状に形成し、記録体は、音楽コンテンツ及び音楽コンテンツに関連する付加情報をスタジオ又はライブの音質として直接的に記録した音楽データを格納したメモリーカードで構成し、且つ表記シートにメモリーカードを一体的に設けることでブック状の音楽パッケージ体として作製することを特徴とする音楽コンテンツ等の音楽パッケージ体。
【請求項２】
前記表記シート又はメモリーカードには、インターネットを通じて特定の配信サーバに接続可能な認証データが設けられている請求項１に記載の音楽コンテンツ等の音楽パッケージ体。
【請求項３】
音楽コンテンツ及び音楽コンテンツに関連する音楽データを直接的にメモリーカードに格納した後、該音楽コンテンツ及び音楽コンテンツ等に関連する付加データを表記した表記シートを作成し、メモリーカードを表示シートに一体的に設けることで音楽パッケージ体をブック状に作成する際、メモリーカードと表記シートとの色彩を自在に変更し、又は表記シートの形状を自在に変更することで販売販路に対応した後、音楽パッケージ体の購入ユーザーに音楽パッケージ体に設けられた認証データを用いてインターネットを介して表記シートに表記された以外の各種付加データを提供することを特徴とする音楽コンテンツ等の音楽パッケージ体の販売システム。
【発明の詳細な説明】
【技術分野】
【０００１】本発明は、洋楽、邦楽等の各種音楽データ、該音楽データ（曲、歌詞）を表記した表記シートからなる音楽コンテンツ等の音楽パッケージ体及び該音楽コンテンツ等の音楽パッケージ体の販売システムに関する。
【背景技術】
【０００２】従来より販売されている音楽コンテンツ（音楽コンテンツとはオーディオデータ（音楽データ）、写真等の画像データの総称をいう）の音楽パッケージ体としては、音楽ＣＤ、音楽及び画像データとしてのＤＶＤの存在が広く知られている。音楽ＣＤは、圧縮された音楽データをＣＤに記録し、その音楽データの歌詞を表記したシートと一体としてケースに収納して作成され、またＤＶＤは音楽及び画像データ（ライブ映像）をＤＶＤに記録し、その音楽データの歌詞を表記したシートと一体としてケースに収納して作成されている。【０００３】上記音楽ＣＤ、音楽ＤＶＤは、それ以前の音楽コンテンツとして利用されたレコードやカセットテープ、映像本に比し、持ち運びに適するように小型化され、１枚における記憶容量が格段に向上し、その利便性により新たな音楽コンテンツとしての地位を築き、多くの人々に利用されている。【０００４】しかしながら、上記音楽ＣＤ等の音楽コンテンツは、１９９８年の生産量をピークにその生産量が大きく落ち込んでいる。【０００５】上記音楽ＣＤ、ＤＶＤ等の落ち込んだ大きな原因が、近年目ざましく発達したインターネットの利用であり、特にインターネットの特定の配信サーバから音楽コンテンツを購入し、後で音楽コンテンツをパーソナルコンピュータにダウンロードし、各種オーディオプレーヤーに音楽データを転送しメモリーに蓄積する音楽配信方法が現れたためである。【０００６】また、上記配信サーバを利用して、音楽データ以外のアーチスト名曲名等の関連するデータや、画像データを音楽データとともにパーソナルコンピュータにダウンロードし、情報処理装置を介して各種音楽再生装置に転送する装置も開発されている。（特開２００２−１２３２７３号）
【発明が解決しようとする課題】
【０００７】しかしながら、上記従来のインターネットを通じた配信サーバから音楽コンテンツ等を購入しダウンロードする方法は、著作権保護の観点から、幾つかの規格や技術がある。例えば、その一例としてコンテンツを購入する際、固有情報を配信サーバに送信して、購入ＩＤ等を取得する方法である。
【０００８】また、音楽コンテンツ等のデータを記録する記録装置としてＳＤカードが知られている。このＳＤカードは小型で軽量であり、データを記録する容量も大きいことから携帯電話、デジタルカメラ、パソコン等の様々な機器の記録装置として利用されているが、ＳＤカードに記憶されたデータ（音楽コンテンツ、画像コンテンツ）の著作権を保護するために様々な規格（例えばＣＰＲＭ規格…ＣＰＲＭ規格では、データが音楽コンテンツの場合、ＳＤカードのデータを読み込む外部機器にはディバイス鍵が割り当てられて、ＳＤカードにはＭＫＤと呼ばれるデータがシステム領域に格納されている。そして、外部機器はディバイス鍵を用いてＭＫＤを処理することにより、正しいメディア鍵を取得する。また、外部機器はメディア鍵とＳＤカードに記憶されたメディアＩＤにより固有鍵を取得するようになっている。外部機器及びＳＤカードは、メディア固有鍵を用いることで、相互に認証を行い、認証が成立する毎に、外部機器はＳＤカードのデータを読み込むことができるようになっている。）が提案されている。
【０００９】上記のように、著作権保護の規格は煩雑な内容であり、利用者には十分にその内容を理解しにくいという欠点がある。
【００１０】さらに重要な点は、上記規格だけでは、例えば認証の成立時等においてその保護が不十分で、著作権の保護という観点においても大きな問題点があった。
【００１１】また、音楽ＣＤによる音楽データの場合は再生された音楽を再度音楽再生装置向けに圧縮する必要がありその手間が煩雑であるが、配信サーバから音楽コンテンツをダウンロードした音楽データは、音楽コンテンツを圧縮されたデータとして配信されるためにそのまま音楽再生装置で再生できる利点がある。しかしながら、音楽再生装置で再生した場合に、どちらの方法で入手した音楽データも、スタジオで録音された音源をそのままで聞くことができなく、クオリティ音質を求めるユーザーにとってその音質に満足できないという大きな問題点があった。
【００１２】さらに、配信サーバから音楽コンテンツ等をダウンロードにて配信する場合は、音楽再生装置に音楽データを蓄積しているために各音楽データを音楽ＣＤのように、個別の物として維持しているという存在感が稀薄であり、満足できないユーザーも多く存在している。
【００１３】また、従来の音楽ＣＤの表示シートは、ＣＤに記録した全ての曲の歌詞（又は曲も含めて）を収録したもので、あくまで音楽ＣＤに付随したシートでしかなかった。
【００１４】また、配信サーバから音楽コンテンツ等として画像データ等を音楽データと同時にダウンロードして独自の画像の再生も可能であるが、ユーザー自信が表示シートとしてブック状に作成するには、専門的知識を必要とし、一般のユーザーにとって煩雑の工程を理解できないという欠点があった。
【００１５】また、配信サーバから音楽コンテンツ等をダウンロードにて配信する方法が広まった他の原因として、従来の音楽ＣＤ等は売れ残った場合には、再利用ができずそのまま破棄する必要があり、その破棄に関する費用及び環境問題を含めて大きな問題点がありった。
【００１６】そこで、本発明は、上記問題点に鑑み、著作権の保護に容易に対応することができ、且つスタジオ・マスター音源と同等のクオリティ音質で記録した音楽コンテンツ等を再生することができ、その内容が常に確認でき、また、再利用が可能で、従来の音楽ＣＤ等の良い点を確保することのできる音楽コンテンツ等の音楽パッケージ体及び該音楽コンテンツ等の音楽パッケージ体の販売システムを提供することを課題とする。
【課題を解決するための手段】
【００１７】そして、上記課題を達成するための本発明の音楽コンテンツ等の音楽パッケージ体としての解決手段は、請求項１に記載のように、音楽コンテンツを表記した表記シートと、音楽コンテンツとしての音楽データを記録した記録体とから作成された音楽パッケージ体において、表記シートは、音楽コンテンツ及び音楽コンテンツ等に関連する付加データを画像や文字等で表記してブック状に形成し、記録体は、音楽コンテンツ及び音楽コンテンツに関連する付加情報をスタジオ又はライブの音質として直接的に記録した音楽データを格納したメモリーカードで構成し、且つ表記シートにメモリーカードを一体的に設けることでブック状の音楽パッケージ体として作製することを特徴とする。
【００１８】また、具体的には請求項２に記載のように、表記シート又はメモリーカードには、インターネットを通じて特定の配信サーバに接続可能な認証データが設けられている。
【００１９】また、上記課題を達成するための本発明の音楽コンテンツ等の音楽パッケージ体の販売システムとしての解決手段は、請求項３に記載のように、音楽コンテンツ及び音楽コンテンツに関連する音楽データを直接的にメモリーカードに格納した後、該音楽コンテンツ及び音楽コンテンツ等に関連する付加データを表記した表記シートを作成し、メモリーカードを表示シートに一体的に設けることで音楽パッケージ体をブック状に作成する際、メモリーカードと表記シートとの色彩を自在に変更し、又は表記シートの形状を自在に変更することで販売販路に対応した後、音楽パッケージ体の購入ユーザーに音楽パッケージ体に設けられた認証データを用いてインターネットを介して表記シートに表記された以外の各種付加データを提供することを特徴とする。
【発明の作用、及び効果】
【００２０】本発明の音楽コンテンツ等の音楽パッケージ体及び該音楽コンテンツ等の音楽パッケージの販売システムの作用について説明する。
【００２１】先ず、本発明の音楽コンテンツ等の音楽パッケージ体は、スタジオでのマスター音源を直接的に録音した音楽データを記録体としてのメモリーカード（ここでいうメモリーカードとは、ＳＤカード等を含む２４ｈｉｔ／９６ｋＨｚ以上の高音質のデジタル録音可能なカード）に格納する。
【００２２】次に、上記メモリーカードに格納された音楽データと同一、又は音楽コンテンツ等に関連する付加データ（ここでいう付加データとは、音楽データ以外のデータで、アーティスト名、曲名、演奏中の画像等の総称をいう）を画像や文字等で表記して、ブック状の表記シート体（例えば、複数枚の頁を有するシートとして）を作成する。
【００２３】そして、上記表記シートにメモリーカードを一体的に設ける（一体的に設ける方法は、例えば、表記シートの表紙等の一部にメモリーカードに該当する凹部を形成し、該凹部にメモリーカードを嵌入、又は表記シートの表紙等の一部に溝部を形成し、該溝部にメモリーカードを挿入等）に作成することで全体を一体化したブック状の音楽パッケージ体を完成する。
【００２４】尚、メモリーカードが小型（従来のＣＤに比し）であるために、音楽パッケージ体の形状や大きさを自在に変更することができるために、例えば、三角形等の多角形、又は花形や動物形等の形状等、販売販路に応じて種々の形状に形成することができる。
【００２５】また、表記シート又はメモリーカードの色彩を変更することでも販売販路に応じて対応することができる。
【００２６】特に、上記音楽パッケージ体は、音楽のみの商品だけでなく、表記シートがブック状であるために本としての機能も有し、このためその取扱が拡大し、従来の音楽販売店（例えば、ＣＤショプ等）のみならず、書店及びコンビニエンスストアー等幅広く販売することができる。
【００２７】また、上記メモリーカードにはスタジオでのマスター音源の音楽データを格納することができるために、従来のＣＤ等の圧縮された音源に比し、格段に優れた（クオリティの高い）音質を聞くことができる。
【００２８】また、メモリーカードに格納する音楽データは、スタジオでのマスター音源に限定するものでなく、例えば、ライブの会場等でその音源と同等の臨場感のあるクオリティ音質及びライブの音楽ビデオ等の各音楽データを直接的にメモリーカードに格納することで、さらに利用価値の高いメモリーカードを作成することもできる。
【００２９】また、上記表記シート又はメモリーカードに、認証データを設けることで、音楽パッケージ体を購入したユーザーは認証データを介してインターネットを通じて特定の配信サーバに接続することができ、表記シートに表記された以外の圧縮された付加データをダウンロードして再生し、必要な付加データをメモリーカードに格納することも可能である。
【００３０】このように、音楽配信の特性を利用することでさらに広い範囲の年齢のユーザーにも興味をいだかせ、購買意欲を拡大することができる。
【００３１】次に、音楽コンテンツ等の音楽パッケージ体の販売システムについて説明する。
【００３２】先ず、音楽コンテンツ及び音楽コンテンツに関連する音楽データを記録体としてのメモリーカードに格納した後、該音楽コンテンツ及び音楽コンテンツ等に関連する付加データを表記したブック状の表記シートを作成し、前記メモリーカードを表示シートに一体的に設けることでブック状に作成した音楽パッケージ体を作成する。
【００３３】この際、メモリーカードと表記シートとの色彩を自在に変更したり又は表記シートの形状を自在に変更して形成すること、音楽コンテンツの種類に対応した音楽パッケージ体を作成することができる。即ち、対象となる購入ユーザーに注目される販売販路（音楽として、本として、又はその他雑貨として等、音楽ショップ、本屋、コンビニ等）に対応させ、興味を抱かせるようにして販売することができる。
【００３４】しかも、購入したユーザーに、音楽パッケージ体に設けられた認証データを用いてインターネットを介して表記シートに表記された以外の各種付加データを提供することで、購入したユーザーは新たな付加データを、上記メモリーカードに格納して独自性のある新たな音楽パッケージ体を保持することができる。
【００３５】また、上記音楽パッケージ体が売れ残った場合には、その商品を回収した後、メモリーカードを取り出し格納した音楽コンテンツ等のデータを削除するとともに、他の音楽コンテンツ等のデータを再度格納することで、その情報に対応した他の表記シートと一体として、他の音楽パッケージ体を作成して、再度利用することができるので、従来のＣＤのように売れ残った場合の廃棄処分する手間がかからず、無駄を省くとともに経費を削減することができる。
【００３６】さらに大きな特徴は、音楽パッケージ体の最初の販売数も限定されることがなく作成することができるので、大量に店頭に並べる等の従来にできなかった販売戦略をとることが可能となる。
【００３７】このように、本発明の音楽コンテンツ等の音楽パッケージ体は、従来のＣＤ等の音楽コンテンツのもつデータの容量少なさ、及び固定された大きさの形状による不備を解消することができ、データ容量が大きく、自在な形状の新たな音楽パッケージ体としての特性をもつことができる。
【００３８】また、、多様な再生機（例えば、携帯電話等）で容易に再生することができので、新たな音楽コンテンツを提案することができる。
【００３９】また、従来のＣＤ等の音楽コンテンツ、インターネット等を通じた配信サイトから音楽コンテンツ等をダウンロードによる圧縮したデータに基づく音質に比し、スタジオでのマスター音源と同等のクオリティの高い優れた音質を直接的に記録することができ、最高の音質で音楽コンテンツ等を再生することができ、本物の音楽コンテンツを楽しむことができる。
【００４０】さらに、著作権の保護の問題においても、配信サイトのような複雑なコンテンツ鍵等を必要とすることなく予めメモリーカードに設定することができるので、商品としての取引において、その安全性を確保することができる。
【００４１】また、メモリーカードは従来のＣＤ等に比し、その再利用が容易であるために、従来のように売れ残りを計算することなく自在に制作することができ、さらに無駄を極力省くことができ、現在のエコ社会に適応した商品として新たな価値を得ることができる。
【発明の好ましい実施の形態】
【００４２】以下、本発明の音楽コンテンツ等の音楽パッケージ体及び該音楽コンテンツ等の音楽パッケージ体の販システムを図面を用いて説明する。
【００４３】図１は本発明の一実施例である音楽コンテンツ等の音楽パッケージ体を示す概略説明斜視図であり、図２は音楽コンテンツ等の音楽パッケージ体におけるメモリーカードの収納を示す概略説明平面図であり、図３は音楽コンテンツ等の音楽パッケージ体におけるメモリーカードの収納を示す他実施例を示す概略説明平面図であり、図４は音楽コンテンツ等の音楽パッケージ体におけるメモリーカードの収納を示す他実施例を示す概略一部断面側面図であり、図５は音楽コンテンツ等の音楽パッケージ体を形成する過程を示すフローチャートであり、図６は本発明の音楽コンテンツ等の音楽パッケージ体の販売システムを示すフローチャートであり、図７は本発明の音楽コンテンツ等の音楽パッケージ体の購買後のユーザーの利用システムを示すフローチャートである。
【００４４】本発明の音楽コンテンツ等の音楽パッケージ体１は、音楽コンテンツの音楽データを格納した記録体としてのメモリーカード２と、メモリーカード２に格納された音楽データと同一、又は関連する付加データを文字、写真又はそれらの組み合わせで表記することで視覚的に表現し、目で直接みることのできる表記シート３とからなり、表記シート３にメモリーカード２を一体的に設けて形成されている。
【００４５】本発明において記録体としてのメモリーカード２は、ＳＤカード、ミニＳＤカード、マイクロＳＤカード、マルチメディアカード等に適応できる基板をチップキャリアとするチップキャリア構造のカードで、２４ｈｉｔ／９６ｋＨｚ以上の高音質のデジタル録音可能なカードの総称として用いる。
【００４６】本発明において表記シート３とは、例えば、複数枚の頁を有するシートよりブック状に構成され、各シートには音楽データと付加データ（付加データとは、音楽データ以外のデータで、アーティスト名、曲名、演奏中の画像、その他のユーザーに提供可能なデータの総称）が文字、写真で表示されていが、ブック状の形状や色彩は、販売目的に応じて自在に形成（例えば、円形、多角形等又は動物や花形等）、着色可能である。
【００４７】上記メモリーカード２に格納する音楽データは、スタジオでのマスター音源と同等のクオリティの高い音質をその状態で直接的に録音されたデータを使用することで、従来の配信サーバやＣＤにない高音質をユーザーに提供することが可能となる。
【００４８】上記表記シート３の一枚の頁４（通常最終頁）に凹部５又は矩形状の孔部５Ａを形成し、該凹部５又は孔部に上記メモリーカード２を嵌入することで、表記シート３にメモリーカード２を一体的に設ける。尚、メモリーカード２を表記シート３と一体にする方法は上記凹部５に開閉自在な蓋の設けられたケース６（メモリーカード２の収納された）を嵌入することで一体とする。尚、表記シート３にメモリーカード２を一体的に設ける方法は、これに限定されるものでなく、例えば、上記凹部５の上下方向の一方の辺に傾斜を設け、且つ傾斜のない対向する辺に爪部７を設けることで、凹部５にケース６（メモリーカード２の収納された）ごとすべらせて嵌入するか、又はメモリーカード２を直接すべらせて嵌入する方法も可能であり、又は、表記シート３の一枚の頁４の幅をメモリーカード２を収納することができる溝５Ａを穿孔した後、該溝５Ａにケース６（メモリーカード２の収納された）ごと挿入するか、又はメモリーカード２を直接挿入する方法も可能である。要は、メモリーカード２の磁気部分を適切に保護可能で、且つ小型で薄い構造であるメモリーカード２が落脱してなくすことを防ぐことでができるように一体化することができるならその方法は特に問うものでない。
【００４９】本発明の音楽パッケージ体１は上記のように構成され、次に音楽パッケージ体１の販売システムと回収システムとについて説明する。
【００５０】先ず、上記音楽パッケージ体１を商品として、その形状や色彩を目的に応じて自在に形成及び着色し、商品毎の独自の優れた表現を行い、購買ユーレーの注意を強く引くことで優れた販売効果を得ることができる。
【００５１】また、上記のように、独自の表現を施した音楽パッケージ体１は、従来の音楽販売店（例えばＣＤショプ等）のみならず、書店、及びコンビニエンスストアー等で多種の販売店で販売が可能となる。特に、大きさにおいては、メモリーカード２と同等の大きさまで小型に作成することができるために、例えば駅の売店でも販売が可能となり、電車での移動時間を有意義に使用することも可能である。
【００５２】また、音楽パッケージ体１は、従来のＣＤに比し、コンパクトに形成されているために、場所をとらずに陳列することができる。しかも、表示シート体３は本としても活用することができるので、店内での注目度が高く、従来のＣＤに比し格段に販売量を確保することができる。
【００５３】しかも、メモリーカード２を使用することで、できるあらゆる再生装置（携帯電話等の携帯型再生装置、パーソナルコンピーター等の再生機器等）ですぐに、メモリーカード２に格納された音楽データを再生して、音楽を聞くことができる。
【００５４】また、従来のＣＤ等に比し格納された音楽データのクオリティが高いので、クオリティの高い音質を聴くことができ、購買ユーザーにとって初めての音質を体験することができる。
【００５５】さらに、表示シート３を見ながら聴くことができるので、従来のＣＤ等の良い部分を確保するとともに、それ以上の情報データを視覚で堪能しながら聴くことができることとなる。
【００５６】次に、本発明の音楽パッケージ体１が売れ残った場合の回収するシステムについて説明する。
【００５７】先ず、上記のように従来の音楽販売店等で販売された後、売れ残った音楽パッケージ体１は、通常の返品と同様に回収され、回収された音楽パッケージ体１のメモリーカード２のみを取り出し格納した音楽データを削除した後、新たな音楽コンテンツ等の音楽データを再度格納し、新たな表示シート３と一体とした音楽パッケージ体１として販売することができる。
【００５８】このため、従来のＣＤの販売のように初版の限定がなく、大量の音楽パッケージ体１を作成して、店頭に大量に並べる等、自在な販売戦略を計画することができる。
【００５９】このように、本発明の音楽パッケージ体１は従来のＣＤ等の場合に比し、新たな販売戦略を音楽パッケージ体１の形状等で、また作成枚数で対応することができる。
【００６０】しかも、本発明の音楽パッケージ体１は無駄なく再利用が可能であり、現在のエコ社会に適応した商品である。
【００６１】また、本発明のメモリーカード２に格納した音楽データはスタジオでのマスター音源と同等のクオリティの高い優れた音質を格納することができるので、従来のＣＤ等の音楽コンテンツ、インターネット等を通じた配信サイトから音楽コンテンツ等をダウンロードによる音質に比し、最高の音質で音楽コンテンツ等を再生することができ、購買ユーザーは本物の音楽コンテンツを十分に堪能することができる。
【００６２】また、上記実施例ではメモリーカード２に記憶した音楽コンテンツは、スタジオでのマスター音源を利用したが、本発明においてメモリーカード２に格納する音楽データは、上記実施例に限定されるものでなく、例えば、音楽のライブの会場等でその音源と同等の臨場感のあるクオリティ音質及びライブの音楽ビデオの音楽データを直接的にメモリーカード２に格納することでクオリティの高い音質、画質を直接的にメモリーカード２に格納でき、さらに利用価値の高いメモリーカード２を作成することも可能である。この場合は、そのライブの会場で演奏と同時に音楽データ（ライブ映像も同時に）を記録（すでに公知の技術利用）し、メモリーカード２に格納することで、ライブ終了後に、ユーザーに音楽パッケージ体１を提供することができる。
【００６３】また、上記実施例では、音楽データはメモリーカード２に最初に格納した範囲内の音楽コンテンツ等であったが、本発明において、メモリーカード２に格納される音楽データはこれに限定されるものでなく、例えば、購買ユーザーはメモリーカード２に一定の認証データを登録することにより、インターネットを通じて特定の配信サーバに接続することで、表示シート３に表記された以外の圧縮された付加データを受け取り、メモリーカード２に格納することで、音楽パッケージ体１の内容をさらに充実することができる。この場合、特定の認証データは、表示シート３に添付することも可能であり、また、付加データも時間経過に応じて新たに更新した付加データを連続して配信サーバを介して配信することも可能である。この場合、メモリーカード２に容量があるために付加データも多種にわたって選択することができるように構成することも可能である。
【００６４】しかも、本発明のメモリーカード２は、従来のＣＤ等の音楽コンテンツのもつデータの容量、及び形状の大きさの不備を解消することができ、従来にない音楽コンテンツ等を提案することができる。
【００６５】また、メモリーカード２で音楽データを再生するので、多様な再生装置で容易に再生することができ，新たな音楽コンテンツ等の音楽データを提案することができる。
【００６６】さらに、著作権の保護の問題においても、配信サーバのような複雑なコンテンツ鍵等を必要とすることなく予めメモリーカード２にコンテンツ鍵等に該当する鍵を設定することで、容易に著作権の保護に対応することができる。
【図面の簡単な説明】
【００６７】
【図１】本発明の一実施例である音楽コンテンツ等の音楽パッケージ体を示す概略説明斜視図
【図２】音楽コンテンツ等の音楽パッケージ体におけるメモリーカードの収納を示す概略説明平面図
【図３】音楽コンテンツ等の音楽パッケージ体におけるメモリーカードの収納の他実施例を示す概略説明平面図
【図４】音楽コンテンツ等の音楽パッケージ体におけるメモリーカードの収納の他実施例を示す概略一部断面側面
【図５】音楽コンテンツ等の音楽パッケージ体を形成する過程を示すフローチャート
【図６】本発明の音楽コンテンツ等の音楽パッケージ体の販売システムを示すフローチャート
【図７】本発明の音楽コンテンツ等の音楽パッケージ体の購買利用システムを示すフローチャート
【符号の説明】
【００６８】１−音楽パッケージ体、２−メモリーカード、３−表示シート
【図１】
2010061631.tif 000003
【図２】
2010061631.tif 000004
【図３】
2010061631.tif 000005
【図４】
2010061631.tif 000006
【図５】
2010061631.tif 000007
【図６】
2010061631.tif 000008
【図７】
2010061631.tif 000009